【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
表示スクリーンにおいて、複数の評価選択肢を、ユーザに、その中から選択するように提供するステップであって、前記複数の評価選択肢の各々は、前記ユーザにより評価される少なくとも２つの関連付けられたメディアアイテムを含む個々のグルーピングに対応する、ステップ；
前記複数の評価選択肢のうちユーザが選択したものに対応する前記少なくとも２つの関連付けられたメディアアイテムを含む前記個々のグルーピングに対する評価を受信するステップ；
前記グルーピングの前記評価に応じて前記ユーザのメディアレコメンデーションを生成するステップ；及び
前記表示スクリーンにおいて前記ユーザに対して前記メディアレコメンデーションを提供するステップ；
を有する方法。
【請求項２】
前記グルーピングが、特定のメディアコンテンツに関連する少なくとも２人の人々の間におけるものであり、前記少なくとも２人の人々は前記特定のメディアコンテンツに関連付けられる、請求項１に記載の方法。
【請求項３】
前記少なくとも２人の人々は、俳優及び監督のうちの少なくとも何れかを含む、請求項２に記載の方法。
【請求項４】
前記グルーピングが、特定のメディアのジャンルと、人物又は国との間におけるものである、請求項１に記載の方法。
【請求項５】
前記グルーピングが、人物と特定の国に関連するメディアとの間におけるものである、請求項１に記載の方法。
【請求項６】
前記評価に応じてユーザプロファイルを生成するステップ；及び
前記ユーザプロファイルを用いて更なるメディアレコメンデーションを生成するステップ；
を更に有する請求項１に記載の方法。
【請求項７】
各自の増加する承認評価に応じて前記メディアレコメンデーションのウェイトが増加し、各自の減少する承認評価に関して前記メディアレコメンデーションのウェイトが減少するように、前記メディアレコメンデーションに対するウェイトを指定するステップを更に有する請求項１に記載の方法。
【請求項８】
表示スクリーンにおいて、複数の評価選択肢を、ユーザに、その中から選択するように提供する評価選択肢マネジャであって、前記複数の評価選択肢の各々は、前記ユーザにより評価される少なくとも２つの関連付けられたメディアアイテムを含む個々のグルーピングに対応し、前記評価選択肢マネジャは、前記複数の評価選択肢のうちユーザが選択したものに対応する前記少なくとも２つの関連付けられたメディアアイテムを含む前記個々のグルーピングに対する評価を受信する、評価選択肢マネジャ；及び
前記グルーピングの前記評価に応じて前記ユーザのメディアレコメンデーションを生成するメディアレコメンデーション生成部；
を有するシステム。
【請求項９】
前記グルーピングが、特定のメディアコンテンツに関連する少なくとも２人の人々の間におけるものであり、前記少なくとも２人の人々は前記特定のメディアコンテンツに関連付けられる、請求項８に記載のシステム。
【請求項１０】
前記少なくとも２人の人々は、俳優及び監督のうちの少なくとも何れかを含む、請求項９に記載のシステム。
【請求項１１】
前記グルーピングが、特定のメディアのジャンルと、人物又は国との間におけるものである、請求項８に記載のシステム。
【請求項１２】
前記グルーピングが、人物と特定の国に関連するメディアとの間におけるものである、請求項８に記載のシステム。
【請求項１３】
前記評価に応じてユーザプロファイルを生成するユーザプロファイルマネジャを更に有する請求項８に記載のシステム。
【請求項１４】
各自の増加する承認評価に応じて前記メディアレコメンデーションのウェイトが増加し、各自の減少する承認評価に関して前記メディアレコメンデーションのウェイトが減少するように、前記メディアレコメンデーション生成部が前記メディアレコメンデーションに対するウェイトを指定する、請求項８に記載のシステム。
【手続補正２】
【補正対象書類名】明細書
【補正対象項目名】発明の名称
【補正方法】変更
【補正の内容】
【発明の名称】ユーザにメディアを推薦するための方法、システム、コンピュータプログラム及び記憶媒体
【手続補正３】
【補正対象書類名】明細書
【補正対象項目名】００７２
【補正方法】変更
【補正の内容】
【００７２】
例示の実施形態が添付図面を参照しながら説明されてきたが、本願の原理は具体的な実施形態には限定されないこと、及び、本願の原理の範囲又は精神から逸脱することなく、様々な変形及び修正が、関連する技術分野の当業者によってなされてよいことが、理解されるべきである。そのような全ての変形及び修正は、添付の特許請求の範囲において記述される本願の原理の範囲内に包含されるように意図されている。
以下、上記の実施形態に関する付記を例示的に列挙する。
（付記1）
表示スクリーンにおいて、複数の評価選択肢を、ユーザに、その中から選択するように提供するステップであって、前記複数の評価選択肢の各々は、前記ユーザにより評価される少なくとも2つの関連付けられたメディアアイテム間の個々のグルーピングに対応する、ステップ；
前記複数の評価選択肢のうちユーザが選択したものに対応する前記少なくとも2つの関連付けられたメディアアイテム間の前記個々のグルーピングに対する評価を受信するステップ；
前記評価に応じて前記ユーザのメディアレコメンデーションを生成するステップ；及び
前記表示スクリーンにおいて前記ユーザに対して前記メディアレコメンデーションを提供するステップ；
を有する方法。
（付記2）
前記グルーピングが、特定のメディアコンテンツに関連する少なくとも2人の人々の間におけるものであり、前記少なくとも2人の人々は前記特定のメディアコンテンツに関連付けられる、付記1に記載の方法。
（付記3）
前記少なくとも2人の人々は、俳優及び監督のうちの少なくとも何れかを含む、付記2に記載の方法。
（付記4）
前記グルーピングが、特定のメディアのジャンルと、人物又は国との間におけるものである、付記1に記載の方法。
（付記5）
前記グルーピングが、人物と特定の国に関連するメディアとの間におけるものである、付記1に記載の方法。
（付記6）
前記評価に応じてユーザプロファイルを生成するステップ；及び
前記ユーザプロファイルを用いて更なるメディアレコメンデーションを生成するステップ；
を更に有する付記1に記載の方法。
（付記7）
各自の増加する承認評価に応じて前記メディアレコメンデーションのウェイトが増加し、各自の減少する承認評価に関して前記メディアレコメンデーションのウェイトが減少するように、前記メディアレコメンデーションに対するウェイトを指定するステップを更に有する付記1に記載の方法。
（付記8）
表示スクリーンにおいて、複数の評価選択肢を、ユーザに、その中から選択するように提供する評価選択肢マネジャであって、前記複数の評価選択肢の各々は、前記ユーザにより評価される少なくとも2つの関連付けられたメディアアイテム間の個々のグルーピングに対応し、前記評価選択肢マネジャは、前記複数の評価選択肢のうちユーザが選択したものに対応する前記少なくとも2つの関連付けられたメディアアイテム間の前記個々のグルーピングに対する評価を受信する、評価選択肢マネジャ；及び
前記評価に応じて前記ユーザのメディアレコメンデーションを生成するメディアレコメンデーション生成部；
を有するシステム。
（付記9）
前記グルーピングが、特定のメディアコンテンツに関連する少なくとも2人の人々の間におけるものであり、前記少なくとも2人の人々は前記特定のメディアコンテンツに関連付けられる、付記8に記載のシステム。
（付記10）
前記少なくとも2人の人々は、俳優及び監督のうちの少なくとも何れかを含む、付記9に記載のシステム。
（付記11）
前記グルーピングが、特定のメディアのジャンルと、人物又は国との間におけるものである、付記8に記載のシステム。
（付記12）
前記グルーピングが、人物と特定の国に関連するメディアとの間におけるものである、付記8に記載のシステム。
（付記13）
前記評価に応じてユーザプロファイルを生成するユーザプロファイルマネジャを更に有する付記8に記載のシステム。
（付記14）
各自の増加する承認評価に応じて前記メディアレコメンデーションのウェイトが増加し、各自の減少する承認評価に関して前記メディアレコメンデーションのウェイトが減少するように、前記メディアレコメンデーション生成部が前記メディアレコメンデーションに対するウェイトを指定する、付記8に記載のシステム。
（付記15）
方法を実行するために保存されるコンピュータ実行可能なコードを有する非一時的なコンピュータ読み取り可能な記憶媒体であって、前記方法は、
表示スクリーンにおいて、複数の評価選択肢を、ユーザに、その中から選択するように提供するステップであって、前記複数の評価選択肢の各々は、前記ユーザにより評価される少なくとも2つの関連付けられたメディアアイテム間の個々のグルーピングに対応する、ステップと、
前記複数の評価選択肢のうちユーザが選択したものに対応する前記少なくとも2つの関連付けられたメディアアイテム間の前記個々のグルーピングに対する評価を受信するステップと、
前記評価に応じて前記ユーザのメディアレコメンデーションを生成するステップと、
前記表示スクリーンにおいて前記ユーザに対して前記メディアレコメンデーションを提供するステップと、
を有する、記憶媒体。